(57)【特許請求の範囲】
【請求項１】
平坦部を有する第１掴持体と、該第１掴持体の平坦部に重なり合って揺動可能に第１掴持体に連結された第２掴持体とが備えられている掴線装置であって、
前記第１掴持体に架空線をガイドする掴持部が設けられ、前記第２掴持体の縁部に、前記第１掴持体の掴持部とによって架空線を挟みながら進行させる牽引部が設けられ、該牽引部には駆動輪と従動輪とに架け渡されたベルトが備えられ、駆動輪の回転軸から摘み部が突出していることを特徴とする掴線装置。
【請求項２】
前記第１掴持体の掴持部には、一対の動輪に架け渡されたベルトが備えられていることを特徴とする請求項１に記載の掴線装置。
【請求項３】
前記第１掴持体の掴持部に備えられた一方の動輪は、前記第２掴持体の牽引部に備えられた駆動輪と連動するように連繋していることを特徴とする請求項２に記載の掴線装置。
【請求項４】
前記第２掴持体のベルト及び第１掴持体のベルトは、第２掴持体が揺動しても、間隔がほぼ一定となるように円弧状に架け渡されていることを特徴とする請求項２又は３に記載の掴線装置。
【請求項５】
前記ベルトの表面には、架空線に引っ掛かる多数の鋸歯部が設けられていることを特徴とする請求項１ないし４のいずれか一項に記載の掴線装置。
【請求項６】
前記第１掴持体の駆動輪には、ラチェット機構が備えられていることを特徴とする請求項１ないし５のいずれか一項に記載の掴線装置。
【発明の詳細な説明】
【技術分野】
【０００１】
本発明は、電柱間に架設された電線やメッセンジャーワイヤなどの架空線を掴んで引っ張るための掴線装置に関する。
【背景技術】
【０００２】
複数の電柱間に架設される電線は、電柱に固定された腕金を跨ぐように保持されている。すなわち、腕金には、連結された耐張碍子と引留具とが反対方向に向けて固定され、引留具が電線を保持し、電線は張力がない状態で、腕金を跨ぐように架設されている。
【０００３】
そして、例えば、耐張碍子が損傷すると、掴線器がその耐張碍子に連結された引留具に保持されている電線を掴み、別の掴線器が他方の引留具に保持された電線を掴み、各掴線器に張線器が取り付けられ、２個の掴線器の間隔が張線器によって狭められることで、腕金の両側の電線に架設された張力が掴線器及び張線器に掛けられ、耐張碍子に掛けられないようにすることで、耐張碍子を交換する。
【０００４】
図３に示すように、掴線器１００は、第１掴持片１１０、第２掴持片１２０、第１レバー１３０そして第２レバー１４０を備えている。第１掴持片１１０は、下面が直線状の掴持部１１１を平坦部１１２の上部に設け、平坦部１１２の一方側（図面では右側）から下方に厚肉のアーム部１１３を設け、このアーム部１１３の下部に角筒状の貫通穴１１４を幅方向に形成し、平坦部１１２の他方側（図面では左側）に軸穴を形成した構成となっている。
【０００５】
また、第１レバー１３０は、ほぼＬ字状に形成され、軸穴を設けた基端部（図面では左端部）が第１挾持片の平坦部１１２に重なり合い、第１レバー１３０の軸孔と第１掴持片１１０の軸穴とにピン１０１が止められることによって揺動可能とされている。
【０００６】
また、第２掴持片１２０は、第１掴持片１１０の平坦部１１２に重なり合い、上面１２１が直線状に形成され、下部が第１レバー１３０の折曲部を挟む二股に形成されている。この第２掴持片１２０の上面１２１が第１掴持片１１０の掴持部１１１の下面との間で電線１を掴む。そして、第２掴持片１２０の下部と第１レバー１３０の折曲部とは、ピン１０２によって連結され、第１レバー１３０が揺動することで、第２掴持片１２０も揺動し、上面１２１が第１掴持片１１０の掴持部１１１に接離する。
【０００７】
また、第２レバー１４０は、薄肉の棒状で、基端部１４１（図面において左端部）が第１レバー１３０の先端部（図面において右下端部）にピン１０３によって連結され、中間部１４２が前記第１掴持片１１０の貫通穴１１４を貫通し、先端部（図面において右端部）に張線器２００の取付部を連結する取付穴１４３が形成されている。
【０００８】
また、図４に示すように、張線器２００は、第１取付部２１０、牽引部２３０、本体部２４０、そして第２取付部２２０を備えている。第１取付部２１０には、前記掴線器１００の第２レバー１４０に形成された取付穴１４３を貫通するジョイントボルト２１１が備えられている。そして、牽引部２３０は、第１取付部２１０と本体部２４０とに架け渡されるワイヤ２３１を備え、このワイヤ２３１が本体部２４０によって巻き取られることで、第１取付部２１０が本体部２４０側に引き寄せられる。
【０００９】
そして、本体部２４０は、ワイヤ２３１を巻き付けるドラム２４１、ドラム２４１を一方向にのみ回転させるラチェット機構２４２、ドラム２４１を回転させるラチェットハンドル２４３を備えている。したがって、この張線器２００は、このラチェットハンドル２４３の下端側を往復動させると、ドラム２４１が一方向に回転し、ワイヤ２３１をドラム２４１に巻き付けることができる。
【００１０】
また、第２取付部２２０には、別の（第２の）掴線器１００の第２レバー１４０の基端部又は電柱２に巻き付ける尻手ワイヤ３を取り付けるためのジョイントボルト２２１が備えられている。
【００１１】
そして、掴線器１００が第１掴持片１１０と第２掴持片１２０との間に電線１を間隔を空けて挟んだ状態において、ラチェットハンドル２４３を往復動させることにより、第２レバー１４０を引っ張ると、図３（ｂ）に示すように、第１掴持片１１０の掴持部１１１と第２掴持片１２０の上面１２１とが電線１を掴み、電線１が張線器２００側に引き寄せられる。
【００１２】
このようにして、電線１からの張力が引留具に掛けられないようにして、損傷した耐張碍子を交換したり、電線１を電柱２間に架設したりする。なお、作業者の負担軽減と作業効率の向上とを図ることができるようにした掴線器、及びこの掴線器と張線器とを備えた張線装置についての発明が特許文献１に記載されている。
【先行技術文献】
【特許文献】
【００１３】
【特許文献１】特開２００８−３０６７９７号公報
【発明の概要】
【発明が解決しようとする課題】
【００１４】
掴線器１００及び張線器２００は、特許文献１に記載されたものも含め、別体であるため、作業者の指が掴線器１００と張線器２００との間に挟まれることがある。また、掴線器１００は、電柱２からできるだけ遠く離れた電線１を掴むことにより、作業効率を向上させることができるが、そうすると、作業者は、無理な姿勢で掴線器１００を電線１に掛止しなければならず、危険な作業となる。
【００１５】
さらに、張線器２００は、ワイヤ２３１が引き伸ばされてから巻き取られるが、巻き取りに際して、偏りが生じたり、癖が生じたりしないようにしなければないだけでなく、ワイヤ２３１と電線１との間に手が挟まれないように心掛けなければならない。また、張線器２００は、ワイヤ２３１の有効長が短い場合に、別の張線器２００を使用して、電線１を仮留めし、掴線器１００を移動させなければならないなど、操作が面倒なものとなっている。
【００１６】
そこで、本発明は、電線やメッセンジャーワイヤなどの架空線を安全に、しかも、効率的に保持し、引っ張ることができるようにした掴線装置を提供することを課題とする。
【課題を解決するための手段】
【００１７】
本発明に係る掴線装置は、平坦部を有する第１掴持体と、該第１掴持体の平坦部に重なり合って揺動可能に第１掴持体に連結された第２掴持体とが備えられている掴線装置であって、前記第１掴持体に架空線１をガイドする掴持部が設けられ、前記第２掴持体の縁部に、前記第１掴持体の掴持部とによって架空線１を挟みながら進行させる牽引部が設けられ、該牽引部には駆動輪と従動輪とに架け渡されたベルトが備えられ、駆動輪の回転軸から摘み部が突出していることを特徴としている。
【００１８】
この掴線装置によれば、第１掴持体の掴持部と第２掴持体のベルトとが架空線を挟んだ状態で、第２掴持体の摘み部が回され、ベルトが進行することで、架空線をベルトの進行方向に引っ張ることができる。したがって、この掴線装置は、従来の掴線器と張線器とを一体化したものとされ、掴線器と張線器との間に作業者の指が挟まれたり、ワイヤを引き出して巻き取ったりといったような面倒な作業を解消することができる。
【００１９】
また、前記本発明に係る掴線装置において、前記第１掴持体の掴持部には、一対の動輪に架け渡されたベルトが備えられていることが好ましい。この掴線装置によれば、第１掴持体に備えられたベルトと第２掴持体に備えられたベルトとが架空線を挟む状態となるため、架空線をスムーズに引っ張ることができる。
【００２０】
また、前記本発明に係る掴線装置において、前記第１掴持体の掴持部に備えられた一方の動輪は、前記第２掴持体の牽引部に備えられた駆動輪と連動するように連繋していることが好ましい。この掴線装置によれば、第１掴持体の掴持部に備えられた一方の動輪が第２掴持体の牽引部に備えられた駆動輪と連動するように連繋していることにより、第２掴持体の摘み部が回されると、第１掴持体の一方の動輪も回るため、第１掴持体のベルトも進行し、両方のベルトが架空線を引っ張るようにすることができる。
【００２１】
また、前記本発明に係る掴線装置において、前記第２掴持体のベルト及び第１掴持体のベルトは、第２掴持体が揺動しても、間隔がほぼ一定となるように円弧状に架け渡されていることが好ましい。この掴線装置によれば、第２掴持体のベルト及び第１掴持体のベルトが仮に直線状であれば、両ベルトが近接したとしてもハ字状に離間し、架空線を挟めないことがあり得るものの、円弧状に架け渡されることにより、太さの異なる複数種類の架空線を挟むことができる。
【００２２】
また、前記本発明に係る掴線装置において、前記ベルトの表面には、架空線に引っ掛かる多数の鋸歯部が設けられていることが好ましい。この掴線装置によれば、ベルトの鋸歯部が架空線に食い込むようになり、架空線が滑ることなく引っ張られるようにすることができる。
【００２３】
また、前記本発明に係る掴線装置において、前記第１掴持体の駆動輪には、ラチェット機構が備えられていることが好ましい。この掴線装置によれば、回転操作棒などによって摘み部を回すときに、摘み部が逆転する方向に回されても、ベルトが後退しないようにすることができる。
【発明の効果】
【００２４】
本発明によれば、第１掴持体の掴持部と第２掴持体のベルトとが架空線を挟んで引っ張るようにした掴線装置が提供されることにより、作業者の安全性を確保し、また、架空線を引っ張る作業性を向上させることができる。
【図面の簡単な説明】
【００２５】
【図１】本発明に係る掴線装置の一実施形態を示し、（ａ）は開いている状態の正面図、（ｂ）は架空線を挟んでいる状態の正面図、（ｃ）は閉じている状態の正面図である。
【図２】本発明に係る掴線装置の一実施形態を示し、（ａ）は要部拡大正面図、（ｂ）は（ａ）のＸ−Ｘ線断面図である。
【図３】従来の掴線器を示し、（ａ）は開いている状態の正面図、（ｂ）は架空線を挟んでいる状態の正面図である。
【図４】従来の掴線器及び張線器の使用状態を示す正面図である。
【発明を実施するための形態】
【００２６】
本発明に係る掴線装置の一実施形態について図１及び図２を参照しながら説明する。この掴線装置は、第１掴持体１０と第２掴持体２０とレバー３０とを備えている。
【００２７】
第１掴持体１０は、平坦部１１を有し、平坦部１１の縁部（図面では上縁部）に電線などの架空線１をガイドする掴持部１２が設けられている。ただし、掴持部１２は、平坦部１１の縁部でなく、中間部に設けられてもよい。また、平坦部１１の一方側（図面では右側）から下方に厚肉のアーム部（以下、「第１アーム部」という。）１３が突出し、この第１アーム部１３の下部に角筒状の貫通穴１４が幅方向に形成されている。
【００２８】
そして、第２掴持体２０は、第１掴持体１０の平坦部１１に重なり合って、揺動できるように第１掴持体１０の平坦部１１の他方側（図面において左下側）にピン４１によって連結されている。ただし、第２掴持体２０は、図２（ｂ）に示すように、平板状の可動盤２１が空間を空けて第１掴持体１０の平坦部１１と対峙し、可動盤２１の縁部（図面では上縁部）に牽引部２２を第１掴持体１０に向けて設けられている。
【００２９】
したがって、ピン４１によって連結される部分の第１掴持体１０の平坦部１１と第２掴持体２０の可動盤２１との間には、スペーサ４２が介在している。ただし、スペーサ４２は、第１掴持体１０の平坦部１１又は第２掴持体２０の可動盤２１と一体化されていてもよい。
【００３０】
そして、第２掴持体２０の牽引部２２は、図２（ａ）に示すように、駆動輪２２ａと従動輪２２ｂとに架け渡されたベルト２２ｄを備えている。また、駆動輪２２ａと従動輪２２ｂとの間には、１個又は複数個（図面では２個）の遊動輪２２ｃが配置され、ベルト２２ｄが縁部（図面では上縁部）側に膨らむように円弧状に架け渡されている。
【００３１】
そして、駆動輪２２ａの回転軸から摘み部２３が突出している。この摘み部２３は、回転操作棒（図示せず）の先端部に保持されて回されるように角柱状とされている。また、駆動輪２２ａには、ベルト２２ｄが一方向（図面では時計方向）にのみ進行するようにするためのラチェット機構（図示せず）が備えられている。
【００３２】
そして、図１に示すように、第２掴持体２０の他方の縁部（図面では下部）には、アーム部（以下、「第２アーム部」という。）２４が突出し、第２アーム部２４の先端にレバー３０の基端部３１がピン４３によって連結されている。レバー３０は、薄肉棒状で、中間部３２が第１アーム部１３の貫通穴１４を貫通し、先端部（図面において右端部）に取付穴３３が形成されている。
【００３３】
この取付穴３３に器具（図示せず）を取り付け、（図面において右方向に）引っ張ると、第２掴持体２０が第１掴持体１０に連結するピン４１を回転軸として（図面では反時計方向に）わずかに回り、第２掴持体２０の牽引部２２が第１掴持体１０の掴持部１２に近接する。逆に、レバー３０が（図面において左方向に）押されると、第２掴持体２０が（図面では時計方向に）わずかに回り、第２掴持体２０の牽引部２２が第１掴持体１０の掴持部１２から離間する。
【００３４】
一方、第１掴持体１０の掴持部１２も、図２（ａ）に示すように、一対の動輪１２ａ，１２ｂに架け渡されたベルト１２ｄを備え、この一対の動輪１２ａ，１２ｂの間に１個又は複数個（図面では２個）の遊動輪１２ｃが配置されている。前記のように、第２掴持体２０のベルト２２ｄが円弧状に架け渡されていることから、第１掴持体１０のベルト１２ｄも遊動輪によって円弧状に架け渡される。
【００３５】
そして、第１掴持体１０の一方の動輪１２ａの回転軸には、第１主歯車５１ａが固定され、この第１主歯車５１ａに第１従歯車５１ｂが噛み合っている。また、第２掴持体２０の駆動輪２２ａの回転軸には、第２主歯車５２ａが固定され、この第２主歯車５２ａに第２従歯車５２ｂが噛み合っている。さらに、第１従歯車５１ｂと第２従歯車５２ｂとが噛み合うことで、第２掴持体２０の駆動輪２２ａが摘み部２３の回転によって回されると、第１掴持体１０の一方の動輪１２ａが駆動輪として回るように連繋されている。
【００３６】
ただし、第２従歯車５２ｂは、第２掴持体２０の揺動に追従できるようにするため、例えば、第２従歯車５２ｂの回転軸と第１掴持体１０の平坦部１１との間にバネ５３を架け渡し、第２掴持体２０がどのような姿勢であっても、第２従歯車５２ｂが第１従歯車５１ｂと第１主歯車５１ａとに噛み合うようにされている。
【００３７】
なお、このような歯車５１ａ，５１ｂ，５２ａ，５２ｂではなく、伸縮するベルト（図示せず）によって、第２掴持体２０の駆動輪の回転力が第１掴持体１０の駆動輪１２ａに伝達されるようにしてもよい。
【００３８】
そして、各ベルト１２ｄ，２２ｄの表面には、図２に示すように、架空線１に引っ掛かる鋸歯部１２ｅ，２２ｅが設けられている。この鋸歯部１２ｅ，２２ｅは、図２（ａ）の部分拡大図に示すように、進行方向側が直角に切り立ち、後方側が傾斜することで、架空線１が後退しにくいようにすることが好ましい。
【００３９】
また、鋸歯部１２ｅ，２２ｅは、図２（ｂ）に示すように、中心線側が凹む樋状とすることにより、架空線１がベルト１２ｄ，２２ｄから脱落しないようにすることが好ましい。ただし、架空線１の材質その他の特性により、鋸歯部１２ｅ，２２ｅの形態は両側とも傾斜するなど種々変更し、さらに、鋸歯部１２ｅ，２２ｅを設けないベルト１２ｄ，２２ｄとしてもよい。
【００４０】
この掴線装置は、以上のように構成され、次に、使用方法について説明する。この掴線装置は、レバー３０の（図面において右方向に）引っ張ったり、（図面において左方向に）押したりすることで、第２掴持体２０が揺動する。
【００４１】
したがって、図１（ａ）に示すように、レバー３０を押すことで、第２掴持体２０の牽引部２２が第１掴持体１０の掴持部１２から離間した状態とし、この牽引部２２と掴持部１２との間に架空線１を入れる。そして、レバー３０を引っ張ると、図１（ｂ）に示すように、第２掴持体２０がピン４１を回転軸として、わずかに（図面において反時計方向に）回ることで、第２掴持体２０の牽引部２２のベルト２２ｄと第１掴持体１０の掴持部１２のベルト１２ｄとが架空線１を挟む状態となる。
【００４２】
このとき、両ベルト１２ｄ，２２ｄの鋸歯部１２ｅ，２２ｅが架空線１に食い込むように引っ掛かる。鋸歯部１２ｅ，２２ｅが設けられていないベルト１２ｄ，２２ｄにあっては、表面が架空線１を押圧する。また、両ベルト１２ｄ，２２ｄは、円弧状に架け渡されていることから、種々の外径の架空線１を強く挟む。
【００４３】
そして、回転操作棒の先端部が第２掴持体２０の駆動輪２２ａの回転軸から突出している摘み部２３を掴み、この摘み部２３を回すことで、第２掴持体２０の駆動輪２２ａが回転し、第２掴持体２０のベルト２２ｄが進行する。また、第２掴持体２０の駆動輪２２ａが回転することで、第２主歯車５２ａ、第２従歯車５２ｂ、第１従歯車５１ｂ、第１主歯車５１ａが回転し、第１掴持体１０の一方の動輪１２ａが駆動輪として回転し、第１掴持体１０のベルト１２ｄが進行する。
【００４４】
このとき、第２掴持体２０の駆動輪２２ａにラチェット機構が備えられていることにより、回転操作棒の先端部が逆方向に回転したとしても、ベルト１２ｄ，２２ｄは反対方向に進行せず、架空線１は引っ張られた状態を維持する。また、ベルト１２ｄ，２２ｄの鋸歯部１２ｅ，２２ｅが架空線１に引っ掛かり、さらに、ベルト１２ｄ，２２ｄの中心線が窪んでいることにより、架空線１がベルト１２ｄ，２２ｄから脱落しにくくなっている。
【００４５】
このようにして、両ベルト１２ｄ，２２ｄに挟まれた架空線１は、両ベルト１２ｄ，２２ｄの進行に追従し、（図面において右方向に）引っ張られる。したがって、この掴線装置は、従来の掴線器と張線器との機能を兼ね備えているため、作業者の安全性が確保され、しかも、ワイヤの引出しや巻取といった作業が解消され、架空線１を効率的に引っ張ることができる。
【００４６】
そして、作業終了後は、レバー３０を押すことで、第１掴持体１０のベルト１２ｄ及び第２掴持体２０のベルト２２ｄが離間し、架空線１を離す。
【００４７】
なお、本発明は、前記実施の形態に限定することなく、種々変更することができる。例えば、第１掴持体１０のベルト１２ｄは、第１掴持体１０のベルト１２ｄに連動しないで、自由に進行するものであってもよい。第２掴持体２０のベルト２２ｄが進行することで、架空線１が引っ張られ、架空線１を押圧した状態の第１掴持体１０のベルト１２ｄも進行する。この場合の第１の掴持体１０の一対の動輪１２ａ，１２ｂは、遊動輪として機能する。
【００４８】
また、第１掴持体１０の掴持部１２は、ベルト１２ｄでなく、１個又は複数個のフリーローラ（図示せず）によって構成してもよい。このフリーローラは、中心線が窪んだものや、両端面から鍔部が突出したものを使用することで、架空線１がフリーローラから外れにくいようにすることができる。さらに、第１掴持体１０の掴持部１２は、溝状又は平坦状とし、さらに、第１掴持体１０の方に突条や突片を突出したものとしてもよい。
【００４９】
また、特に、特定の外径の架空線１に対してのみ使用するときは、第２掴持体２０のベルト２２ｄ及び第１掴持体１０のベルト１２ｄは、円弧状でなく、平坦状に架け渡されてもよい。さらに、架空線１を一方向だけでなく、二方向に引っ張る時は、第１掴持体１０の駆動輪には、ラチェット機構を備えないものとする。
【符号の説明】
【００５０】
１………架空線（電線）
１０……掴持体
１１……平坦部
１２……掴持部
１２ａ…動輪
１２ｂ…動輪
１２ｄ…ベルト
１２ｅ…鋸歯部
２０……掴持体
２２……牽引部
２２ａ…駆動輪
２２ｂ…従動輪
２２ｄ…ベルト
２２ｅ…鋸歯部
２３……摘み部
【図１】
0005312496.tif 000002
【図２】
0005312496.tif 000003
【図３】
0005312496.tif 000004
【図４】
0005312496.tif 000005